(57)【要約】【課題】平易な方法で、旅行や冠婚葬祭等のイベントの電子ムービーアルバムの作成を行うこと。【解決手段】管理サーバ１０１が、スケジュールに応じて進行されるイベントの参加者毎に、前記スケジュールに対応して該参加者からコンテンツ転送端末１０２等を用いて転送されるコンテンツ（イベント中に前記参加者が撮影又は録音した写真・ビデオ等）を記憶可能な構造を有する記憶領域を割り当て、前記各参加者より提供されるコンテンツを各参加者に応じた記憶領域内に前記コンテンツの作成日時に応じて格納させ、参加者毎に用意される着脱可能な記録媒体に対して、それぞれ該記録媒体内のコンテンツを再生処理可能なアプリケーションプログラムと、該参加者に割り当てられた記憶領域内に格納されているコンテンツを前記アプリケーションプログラムが参照する記憶領域の名称に変更して記憶させる構成を特徴とする。【選択図】      図１
2004213303.tif 000002
【特許請求の範囲】
【請求項１】
スケジュールに応じて進行されるイベントの参加者から提供される、前記イベント中に前記参加者が撮影した写真・ビデオ等のコンテンツを管理する管理サーバにおいて、
前記イベントの参加者毎に、前記スケジュールに対応して該参加者から提供されるコンテンツを記憶可能な構造を有する記憶領域を割り当てる割り当て手段と、
前記各参加者より提供されるコンテンツを各参加者に応じた記憶領域内に前記コンテンツの作成日時に応じて格納させる格納手段と、
参加者毎に用意される着脱可能な記録媒体に対して、それぞれ該記録媒体内のコンテンツを再生処理可能なアプリケーションプログラムと、該参加者に割り当てられた記憶領域内に格納されているコンテンツを、予め設定された前記アプリケーションプログラムが参照する記録媒体内での名称に変更して記憶させるアルバム作成手段と、
を有することを特徴とする管理サーバ。
【請求項２】
前記イベントの参加者をグループ単位で登録する登録手段を設け、
前記割り当て手段は、前記イベントの参加者の属するグループ毎に、前記スケジュールに対応して該参加者から提供されるコンテンツを記憶可能な構造を有する記憶領域を割り当てるものであり、
前記格納手段は、前記各参加者より提供されるコンテンツを各参加者の属するグループに応じた記憶領域内に前記コンテンツの作成日時に応じて格納させるものであり、
前記アルバム作成手段は、参加者毎に用意される着脱可能な記録媒体に対して、それぞれ該記録媒体内のコンテンツを再生処理可能なアプリケーションプログラムと、該参加者の属するグループに割り当てられた記憶領域内に格納されているコンテンツを予め設定された前記アプリケーションプログラムが参照する記憶領域での名称に変更して記憶させることを特徴とする請求項１記載の管理サーバ。
【請求項３】
前記登録手段は、前記イベントの参加者を階層構造を有するグループ単位で登録するものであり、
前記アルバム作成手段は、参加者毎に用意される着脱可能な記録媒体に対して、それぞれ該記録媒体内のコンテンツを再生処理可能なアプリケーションプログラムと、該参加者の属するグループ及びその上位のグループに割り当てられた記憶領域内に格納されているコンテンツを予め設定された前記アプリケーションプログラムが参照する記憶領域での名称に変更してそれぞれ記憶させることを特徴とする請求項２記載の管理サーバ。
【請求項４】
スケジュールに応じて進行されるイベントの参加者から提供される前記イベント中のコンテンツを管理する管理サーバの制御方法において、前記イベントの参加者毎に、前記スケジュールに対応して該参加者から提供されるコンテンツを記憶可能な構造を有する記憶領域を割り当てる割り当て工程と、
前記各参加者より提供されるコンテンツを各参加者に応じた記憶領域内に前記コンテンツの作成日時に応じて格納させる格納工程と、
参加者毎に用意される着脱可能な記録媒体に対して、それぞれ該記録媒体内のコンテンツを再生処理可能なアプリケーションプログラムと、該参加者に割り当てられた記憶領域内に格納されているコンテンツを、予め設定された前記アプリケーションプログラムが参照する記憶領域での名称に変更して記憶させるアルバム作成工程と、
を有することを特徴とする管理サーバの制御方法。
【請求項５】
請求項４に記載された管理サーバの制御方法を実行するためのプログラム。
【発明の詳細な説明】
【０００１】
【発明の属する技術分野】
本発明は、スケジュールに応じて進行されるイベントの参加者から提供される前記イベント中に、該参加者により撮影された写真・ビデオといったコンテンツを用いて、前記参加者毎に用意される着脱可能な記録媒体に電子ムービーアルバムを作成可能な管理サーバおよび管理サーバの制御方法およびプログラムおよび記録媒体に関するものである。
【０００２】
【従来の技術】
従来、旅行者が旅行先で撮影した写真は、現像後、整理してアルバムに収める、ビデオ等はタイトルを明記し保存しておくことが一般的であった。また、写真を整理したアルバムなどには、その旅の感想を添えたり、その場所の観光情報等と一緒に保存するなど、旅の思い出をより一層引き立てるように工夫する場合もあった。
【０００３】
かつては、写真やビデオを関連付けて保存させておくということは困難であったが、最近では、デジタルカメラやデジタルビデオカメラの普及が急速に進んだこともあり、それらをパソコン上で整理して保存することによって、それらの関連付けが容易になってきた。
【０００４】
さらに、特開２００１−１６７１１５号公報（従来技術１）にあるように、観光地の観光地図情報をもとにしたテンプレートを提供し、旅行者が撮影した電子写真やデジタルビデオデータをその上に掲載し、またそこに観光地の見所や、その地方で伝承されている民話や逸話などを盛り込み、旅の想い出をより深く残せる電子アルバム作成についての提案がある。
【０００５】
【発明が解決しようとする課題】
しかしながら、上記従来技術１では、旅行記念の電子アルバムを作成する際に、旅行者は、自分の旅行の目的地と合致する電子アルバムのテンプレートとなる情報を入手する必要があり、また観光地の特徴を示す情報も旅行者自らが選択し、付け加える作業を行わなければならず、非常に煩雑であった。
【０００６】
本発明は、上記の問題点を解決するためになされたもので、本発明の目的は、スケジュールに応じて進行されるイベントの参加者毎に、前記スケジュールに対応して該参加者から提供される写真・ビデオといったコンテンツを記憶可能な構造を有する記憶領域を割り当て、前記各参加者より提供されるコンテンツを各参加者に応じた記憶領域内に前記コンテンツの作成日時に応じて格納させ、参加者毎に用意される着脱可能な記録媒体に対して、それぞれ該記録媒体内のコンテンツを再生処理可能なアプリケーションプログラムとともに、該参加者に割り当てられた記憶領域内に格納されているコンテンツを、予め設定された前記アプリケーションプログラムが参照する記憶領域での名称に変更して記憶させることにより、簡易で使いやすく、例えば旅行の場合であれば、旅行者の目的地や日程といった予め設定されたスケジュールに沿った電子ムービーアルバムを容易に作成することができ、平易な方法で、旅行や冠婚葬祭等のイベントの電子ムービーアルバムの作成を行うことができる管理サーバおよび管理サーバの制御方法およびプログラムおよび記録媒体を提供することである。
【０００７】
【課題を解決するための手段】
本発明に係る第１の発明は、スケジュールに応じて進行されるイベントの参加者から提供される前記イベント中に該参加者により撮影された写真・ビデオといったコンテンツを管理する管理サーバ（図１に示す管理サーバ１０１）において、前記イベントの参加者毎に、前記スケジュールに対応して該参加者から提供されるコンテンツを記憶可能な構造を有する記憶領域を割り当てる割り当て手段（図２に示すＣＰＵ２０１が図１８に示すムービーアルバムテンプレート作成処理，図１９に示すツアー参加者募集処理において、図７に示すユーザディレクトリ構造ファイル，図９，図１０に示すスケジュールディレクトリ構造ファイル等に示すように割り当て処理する）と、前記各参加者より提供されるコンテンツを各参加者に応じた記憶領域内に前記コンテンツの作成日時に応じて格納させる格納手段（図２に示すＣＰＵ２０１が図２０に示す撮像データ受信処理において、図８に示すユーザディレクトリ，図１１に示すスケジュールディレクトリ等に示すディレクトリに格納処理する）と、参加者毎に用意される着脱可能な記録媒体に対して、それぞれ該記録媒体内のコンテンツを再生処理可能なアプリケーションプログラムと、該参加者に割り当てられた記憶領域内に格納されているコンテンツを予め設定された前記アプリケーションプログラムが参照する記憶領域での名称に変更して記憶させるアルバム作成手段（図２に示すＣＰＵ２０１が、図２１に示すムービーアルバム作成処理において、図１５，図１６に示すＤＶＤディレクトリのように記憶させる）とを有することを特徴とする。
【０００８】
本発明に係る第２の発明は、前記イベントの参加者をグループ単位で登録する登録手段（図２に示すＣＰＵ２０１が図１９に示す旅行者募集処理において、登録処理する）を設け、前記割り当て手段は、前記イベントの参加者の属するグループ毎に、前記スケジュールに対応して該参加者から提供されるコンテンツを記憶可能な構造を有する記憶領域を割り当てるものであり、前記格納手段は、前記各参加者より提供されるコンテンツを各参加者の属するグループに応じた記憶領域内に前記コンテンツの作成日時に応じて格納させるものであり、前記アルバム作成手段は、参加者毎に用意される着脱可能な記録媒体に対して、それぞれ該記録媒体内のコンテンツを再生処理可能なアプリケーションプログラムと、該参加者の属するグループに割り当てられた記憶領域内に格納されているコンテンツを、予め設定された前記アプリケーションプログラムが参照する記憶領域での名称に変更して記憶させることを特徴とする。
【０００９】
本発明に係る第３の発明は、前記登録手段は、前記イベントの参加者を階層構造を有するグループ単位で登録するものであり、前記アルバム作成手段は、参加者毎に用意される着脱可能な記録媒体に対して、それぞれ該記録媒体内のコンテンツを再生処理可能なアプリケーションプログラムと、該参加者の属するグループ及びその上位のグループに割り当てられた記憶領域内に格納されているコンテンツを、予め設定された前記アプリケーションプログラムが参照する記憶領域での名称に変更してそれぞれ記憶させることを特徴とする。
【００１０】
本発明に係る第４の発明は、スケジュールに応じて進行されるイベントの参加者から提供される前記イベント中のコンテンツを管理する管理サーバの制御方法において、前記イベントの参加者毎に、前記スケジュールに対応して該参加者から提供されるコンテンツを記憶可能な構造を有する記憶領域を割り当てる割り当て工程（図１８のステップＳ５０３，図１９のステップＳ６０７）と、前記各参加者より提供されるコンテンツを各参加者に応じた記憶領域内に前記コンテンツの作成日時に応じて格納させる格納工程（図２０のステップＳ７０１〜Ｓ７１０）と、参加者毎に用意される着脱可能な記録媒体に対して、それぞれ該記録媒体内のコンテンツを再生処理可能なアプリケーションプログラムと、該参加者に割り当てられた記憶領域内に格納されているコンテンツを、予め設定された前記アプリケーションプログラムが参照する記憶領域での名称に変更して記憶させるアルバム作成工程（図２１のステップＳ２００１〜Ｓ２００９）とを有することを特徴とする。
【００１１】
本発明に係る第５の発明は、請求項４に記載された管理サーバの制御方法を実行するためのプログラムであることを特徴とする。
【００１２】
【発明の実施の形態】
図１は、本発明の管理サーバを適用可能な電子ムービーアルバム作成支援システムの一例を示すシステム構成図である。
【００１３】
図に示すように、１０１は管理サーバで、通信回線１０６を介して受信した画像情報等を管理するものである。
【００１４】
電子ムービーアルバム作成希望者は、その作成する電子ムービーアルバムに掲載を希望するデータを、デジタルカメラ１０３ａ，１０３ｂやデジタルビデオカメラ１０４ａ，１０４ｂで撮影し、そのデータをコンテンツファイル転送端末１０２ａ，１０２ｂや携帯電話１０５ａ，１０５ｂ経由で通信回線１０６を介して管理サーバ１０１に送信する。
【００１５】
このデジタルカメラ１０３ａ，１０３ｂやデジタルビデオカメラ１０４ａ，１０４ｂが、直接通信回線に接続する機能を持ち合わせている場合は、コンテンツファイル転送端末１０２ａ，１０２ｂや携帯電話１０５ａ，１０５ｂを経由せずに直接管理サーバに対してデータを送信する構成をとることも可能である。
【００１６】
図２は、図１に示した管理サーバ１０１のハードウェア構成を示すブロック図である。
【００１７】
図２において、２０１はＣＰＵで、ＨＤ（ハードディスク）２０６に格納されているアプリケーションプログラム、プリンタドライバプログラム、ＯＳやネットワークプリンタ制御プログラム等を実行し、ＲＡＭ２０２にプログラムの実行に必要な情報、ファイル等を一時的に格納する制御を行う。
【００１８】
２０３はＲＯＭで、基本Ｉ／Ｏプログラム等のプログラム、文書処理の際に使用するフォントデータ、テンプレート用データ等の各種データを記憶する。ＲＡＭ２０３は、ＣＰＵ２０１の主メモリ、ワークエリア等として機能する。
【００１９】
２０４はネットワークアダプタで、通信回線１０６を介して所定プロトコルで通信回線１０６に接続される各機器と通信可能に構成されている。
【００２０】
２０７はＤＶＤ−Ｒ／ＤＶＤ−ＲＷドライブ又はＤＶＤ＋Ｒ／ＤＶＤ＋ＲＷドライブであり、ＤＶＤ媒体へのデータの読み／書きを行うことができる。
【００２１】
２０６はＨＤで、アプリケーションプログラム、プリンタドライバプログラム、ＯＳ、ネットワークプリンタ制御プログラム、関連プログラム、各種情報（後述する図３に示す各種情報も含む）を格納している。
【００２２】
２０８はマウス、２０９はキーボードで、ユーザが管理サーバ１０１に対して、デバイスの制御コマンドの命令等を入力指示するものである。２１０はモニタで、各種情報をビデオアダプタ２０５を介して表示したりするものである。２１１はシステムバスで、管理サーバ１０１内のデータの流れを司るものである。
【００２３】
図３は、図１に示した管理サーバ１０１のハードディスク２０６に記憶される記憶情報を示す図である。
【００２４】
図において、３０２は観光地情報データベース（観光地情報ＤＢ）で、観光地に関する情報を、観光地毎にＩＤを付与した形で保存しておく。なお、保存させておく項目としては、その名称やその観光地がある国名・都市名、その観光地に関する解説情報、観光地の電子写真データ、動画データ、音声データ等の電子ムービーアルバム作成時に使用できるファイル情報を付加しておく。この観光地情報は昼間や夜間などの時間帯別の観光スポット情報や季節別の観光スポット情報を含んでいる。なお、ファイル情報には独自にＩＤを付与させておくことが望ましい。
【００２５】
３０３はツアー情報データベース（ツアー情報ＤＢ）で、後述する図４に示すように、ツアーに関する情報を、ツアー毎にＩＤ４０１を付与した形で保存しておく。なお、保存させておく項目としては、ツアー名称４０２、目的地４０３，１日単位に観光スポット毎の到着時間と出発時間を示すスケジュール４０４、ツアーの最小催行人数４０５，添乗員の有無４０６、電子ムービーアルバム再生の際に使用するアプリケーションデータ４０７のＩＤ等を保存しておく。
【００２６】
３０４は旅行者データベース（旅行者ＤＢ）で、旅行者に関する情報を、旅行者毎にＩＤを付与した形で保存しておく。なお、保存させておく項目としては、氏名，住所，電話番号等である。
【００２７】
３０５はアプリケーションデータベース（アプリケーションＤＢ）で、後述する図５に示すように、電子ムービーアルバムの実行アプリケーションに関する情報を、アプリケーションデータ毎にＩＤ５０１を付与した形で保存しておく。なお、保存させておく項目としては、電子ムービーアルバムを再生する際に使用するアプリケーション実行ファイル名５０２、アプリケーションを使用して電子ムービーアルバムを再生する際のディレクトリ参照順序をＤＶＤのフルパス名で記載したディレクトリ参照順５０３である。なお、アプリケーション実行ファイル名５０２に対応するアプリケーション実行ファイルもアプリケーションＤＢ３０５内に格納されている。
【００２８】
３０６はツアー催行データベース（ツアー催行ＤＢ）で、図６に示すように、決定したツアーを、ツアー毎にＩＤ６０１を付与した形で保存しておく。なお、保存させておく項目としては、ツアーＩＤ６０２、出発日６０３、参加人数６０４、参加者ＩＤ（×参加人数、グループ毎に階層的に登録）６０５、ディレクトリ構造データ６０６（後述する図７に示すユーザディレクトリ構造ファイル，図９，図１０に示すスケジュールディレクトリ構造ファイル，図１２に示す観光地説明用データ保存用ディレクトリ構造ファイルを登録する）、ルートディレクトリ６０７（旅行者撮影データを保存するためのディレクトリ群のルートディレクトリ名を登録する）等である。
【００２９】
なお、上記各データベース３０２〜３０６は、ハードディスク２０６以外のその他の記憶装置に格納されていてもよい。
【００３０】
図７は、図６に示したツアー催行ＤＢ３０６のディレクトリ構造データ６０６に登録されるユーザディレクトリ構造ファイルの一例を示すデータ構造図であり、後述する図１９に示す旅行者募集処理において作成される図６に示したツアー催行ＤＢ３０６内の参加者ＵＳＥＲ＿ＩＤ６０５情報に基づいて生成される。
【００３１】
図７において、［ツアー］［／ツアー］は、ツアーに関する情報を示す。［ツアー］において、「ｉｄ」はツアーＩＤ情報、「ｆｏｌｄｅｒ＿ｎａｍｅ」は、この［ツアー］［／ツアー］内のデータを管理するディレクトリ名を示す。この［ツアー］［／ツアー］内には、当該ツアーに参加するツアー参加者の情報を必ず含む。
【００３２】
［グループ］［／グループ］は、当該ツアー参加者をその申し込みグループ単位に設定したもので、この単位でデータの管理を行う（ユーザ単位ではない）。
【００３３】
［グループ］［／グループ］において、「ｆｏｌｄｅｒ＿ｎａｍｅ」は、この［グループ］［／グループ］内のデータを管理するディレクトリ名を示す。なお、電子ムービーアルバム（ＤＶＤ）を作成する際、「ｆｏｌｄｅｒ＿ｎａｍｅ」に対応するディレクトリは、「ｒｅｎａｍｅ」に設定された名称のディレクトリに変更される。
【００３４】
「ｕｓｅｒ＿ｉｄ」は、この［グループ］［／グループ］に対応して作成されたディレクトリにデータを保存するユーザのユーザＩＤを示す。
【００３５】
このユーザディレクトリ構造ファイルを用いて、ユーザ（ツアー参加者）のデータを保存するための各ディレクトリが、図８に示すように、ツアー毎のルートディレクトリ（この場合は「Ｄｉｒ００１」）の下に生成される。
【００３６】
図８は、図７に示したユーザディレクトリ構造ファイルより生成されるユーザディレクトリ構造を示すディレクトリ構造図である。
【００３７】
なお、ユーザ（ツアー参加者）のデータを保存するための各ディレクトリ「ｆｏｌｄｅｒ００１」〜「ｆｏｌｄｅｒ００８」の下には、後述する図１１に示すスケジュールディレクトリがそれぞれ生成される。
【００３８】
図９，図１０は、図６に示したツアー催行ＤＢ３０６のディレクトリ構造データ６０６に登録されるスケジュールディレクトリ構造ファイルの一例を示すデータ構造図であり、後述する図１８に示すムービーアルバムテンプレート作成処理において図４に示したツアー情報ＤＢ３０６内のスケジュール４０４に基づいて生成される。そして、このディレクトリ構造ファイルに対応するディレクトリには、当該観光地情報ＤＢ３０２中に保存されている観光地の電子写真データ、動画データ、音声データ等のファイル情報から、当該ツアーの予定に含まれる観光スポットに該当する情報を取得し、保存させる。電子ムービーアルバム作成（ＤＶＤ）作成時にこれらのファイルも含むことによって、旅行で訪れた観光スポットについてより多くの情報が含まれることになる。ただ、ユーザ（参加者）がこれらの情報を不要だという場合には必ずしも加える必要はない。その要請に個別に対応できるように、ユーザ（参加者）から受信したコンテンツデータの保存領域とは別の保存領域で保存している。
【００３９】
図において、［スケジュール］は、ツアー日程を示す。［スケジュール］において、「ｓｔａｒｔ」はツアーの開始日を示し、「ｅｎｄ」はツアーの終了日を示す。
【００４０】
［ｘ（数字）］は、ツアーのｘ日目に撮影された画像データを保存するためのディレクトリ情報を示し、「ｆｏｌｄｅｒ＿ｎａｍｅ」は、この日に撮影されたデータを管理するディレクトリ名を示す。図においては、［スケジュール］内の［ｓｔａｒｔ］情報が２００３０１０１（２００３年１月１日）であるので、［１］［２］［３］がそれぞれ２００３年１月１日、１月２日、１月３日に該当することになる。［ｘ（数字）］情報中には、その日に訪れる観光スポット情報が含まれることになる。なお、電子ムービーアルバム（ＤＶＤ）を作成する際、「ｆｏｌｄｅｒ＿ｎａｍｅ」に対応するディレクトリは、「ｒｅｎａｍｅ」に設定された名称のディレクトリに変更される。
【００４１】
［場所（例えば、奈良）］は、場所（例えば、奈良）で撮影された画像データを保存するためのディレクトリ情報を示し、「ｆｏｌｄｅｒ＿ｎａｍｅ」は、「ｓｔａｒｔ」〜「ｅｎｄ」で示される時間に撮影されたデータを管理するディレクトリ名を示す。なお、電子ムービーアルバム（ＤＶＤ）を作成する際、「ｆｏｌｄｅｒ＿ｎａｍｅ」に対応するディレクトリは、「ｒｅｎａｍｅ」に設定された名称のディレクトリに変更される。
【００４２】
このスケジュールディレクトリ構造ファイルを用いて、スケジュールに対応したディレクトリ（画像データを保存するための各ディレクトリ）が、図１１に示すように、図８に示した「ｆｏｌｄｅｒｘｘｘ」夫々の下に生成される。
【００４３】
図１１は、図９，図１０に示したスケジュールディレクトリ構造ファイルを基に生成されるスケジュールディレクトリ構造を示すディレクトリ構造図である。
【００４４】
なお、スケジュールに対応する画像データを保存するための各最下層のディレクトリ（例えば、「ｔｏｕｄａｉｊｉ」）の下には、サブディレクトリとして、静止画データを保存するための「静止画」，動画データを保存するための「動画」がそれぞれ生成される。
【００４５】
図１２は、図６に示したツアー催行ＤＢ３０６のディレクトリ構造データ６０６に登録される観光地説明用データ保存用ディレクトリ構造ファイルの一例を示すデータ構造図であり、後述する図１８に示すムービーアルバムテンプレート作成処理において図４に示したツアー情報ＤＢ３０６内のスケジュール４０４に基づいて更新される。
【００４６】
図において、［説明］は、観光地の説明用の画像データを保存するディレクトリの情報を示し、「ｆｏｌｄｅｒ＿ｎａｍｅ」は観光地の説明用のデータを保存するディレクトリ名を示す。なお、電子ムービーアルバム（ＤＶＤ）を作成する際、「ｆｏｌｄｅｒ＿ｎａｍｅ」に対応するディレクトリは、「ｒｅｎａｍｅ」に設定された名称のディレクトリになる。
【００４７】
［場所（例えば、奈良）］は、場所（例えば、奈良）での観光地の説明用の画像データを保存するためのディレクトリ情報を示し、「ｆｏｌｄｅｒ＿ｎａｍｅ」は、場所（例えば、奈良）での観光地の説明用の画像データを管理するディレクトリ名を示す。なお、電子ムービーアルバム（ＤＶＤ）を作成する際、「ｆｏｌｄｅｒ＿ｎａｍｅ」に対応するディレクトリは、「ｒｅｎａｍｅ」に設定された名称のディレクトリになる。このディレクトリ構造においても、最下層のディレクトリにはその下に「静止画」、「動画」のサブディレクトリが含まれる。
【００４８】
この観光地説明用データ保存用ディレクトリ構造ファイルを基に作成された、スケジュールに対応した観光地説明用のデータ保存用ディレクトリ（画像データを保存するための各ディレクトリ）が、図１１に示すように、ツアー毎のルートディレクトリ「Ｄｉｒ００１」の下に生成される。このディレクトリ構造においても、最下層のディレクトリにはその下に「静止画」、「動画」のサブディレクトリが含まれる。
【００４９】
図１４は、図８に示したユーザディレクトリにおいて電子ムービーアルバム（ＤＶＤ）を作成する際に使用されるディレクトリの一例を示す図である。
【００５０】
なお、あるユーザの電子ムービーアルバム（ＤＶＤ）を作成する際には、そのユーザが含まれるグループのユーザディレクトリ及びそのユーザの上位のグループのユーザディレクトリ内のスケジュールディレクトリに格納された画像データを使用するものとする。
【００５１】
以下、特に、ＵＳＥＲ００３，ＵＳＥＲ００４，ＵＳＥＲ００５に対して電子ムービーアルバム（ＤＶＤ）を作成する場合について示す。
【００５２】
ＵＳＥＲ００３，ＵＳＥＲ００４，ＵＳＥＲ００５により撮影された画像データの管理ディレクトリは、図７に示したように「ｆｏｌｄｅｒ００３」として生成されている。
【００５３】
よって、ＵＳＥＲ００３，ＵＳＥＲ００４，ＵＳＥＲ００５用の電子ムービーアルバム（ＤＶＤ）には、「ｆｏｌｄｅｒ００３」および上位ディレクトリである「ｆｏｌｄｅｒ００１」、「ｆｏｌｄｅｒ００２」内のスケジュールディレクトリに格納されたデータを使用する。
【００５４】
また、ユーザ（参加者）からの希望があれば、観光地説明用のディレクトリ「Ｓｅｔｕｍｅｉ」内のデータも使用する。
【００５５】
図１５，図１６は、作成された電子ムービーアルバム（ＤＶＤ）のディレクトリ構成の一例を示す図である。
【００５６】
まず、図１５に示すように、ルートディレクトリとなる「ｔｏｕｒ」の下に、電子ムービーアルバムを見るためのアプリケーションの実行ファイル（後述する図２２に示す機能を有する）と図５に示したアプリケーションデータが格納される。
【００５７】
また、「ｔｏｕｒ」の下には、図１４に示した「ｆｏｌｄｅｒ００１」〜「ｆｏｌｄｅｒ００３」から生成された「ｇｒｏｕｐ００１」〜「ｇｒｏｕｐ００３」が格納される。
【００５８】
さらに、「ｔｏｕｒ」の下には、図１４に示した「ｓｅｔｕｍｅｉ」から生成された「ｇｕｉｄｅ００１」が格納される。ただ、これらは前段での説明の通り、必ず電子ムービーアルバムの作成に使用しなければならないものではなく、ユーザ（参加者）の選択に応じて使用／不使用を決定することが可能である。この選択についてはツアー応募の際に行わせればよい。
【００５９】
なお、「ｇｒｏｕｐ００１」〜「ｇｒｏｕｐ００３」の下には、それぞれ図１６に示すディレクトリ（図１１に示したスケジュールディレクトリから生成された）が存在する。スケジュールディレクトリについてもそれぞれのディレクトリ情報中の［ｒｅｎａｍｅ］属性にある名称のディレクトリに変更して（図１５中の）それぞれのディレクトリの下に格納されることになる。
【００６０】
また、各「Ｓｕｂｆｏｌｄｅｒｘｘｘ」）の下には、サブディレクトリとして、静止画データを保存するための「静止画」，動画データを保存するための「動画」がそれぞれ存在する。
【００６１】
図１７は、本発明の管理サーバを適用可能な電子ムービーアルバム作成支援システムにおいて、ツアー日程の決定から電子ムービーアルバム（ＤＶＤ）作成までの一連の流れを示すフローチャートであり、Ｓ４０１〜Ｓ４１０は各ステップを示す。なお、Ｓ４０１，Ｓ４０３，Ｓ４０５，Ｓ４０６，Ｓ４０８，Ｓ４１０は人による処理に対応し、Ｓ４０２，Ｓ４０４，Ｓ４０９は図１に示した管理サーバ１０１による制御処理に対応する。
【００６２】
まず、ツアー日程の決定を行い（Ｓ４０１）、管理サーバ１０１に送信しておく。次に、ステップＳ４０１で決定されたツアー日程に基づいて、ツアー催行データ（図６）等を作成するムービーアルバムテンプレートデータ作成処理（図１８）を行う（Ｓ４０２）。
【００６３】
その後ツアーの参加者の募集を開始し（Ｓ４０３）、ツアー参加者募集処理（図１９）を行う（Ｓ４０４）。
【００６４】
次に、ツアーの応募人数がツアー最低催行人数に達しているかを判定し（Ｓ４０５）、もし達していない場合には（Ｓ４０５：ＮＯ）、応募者に対して取りやめ通知を行い（Ｓ４１０）、終了する。
【００６５】
一方、ツアーの応募人数がツアー最低催行人数に達している場合には（Ｓ４０５：ＹＥＳ）、ツアーを実行する（Ｓ４０６）。なお、ツアーを催行する場合には、ツアーの旅程に基づいて観光情報データベースから、各観光地の訪問時間（朝か昼か夜か）や、訪問する季節に応じて、旅行に必要な観光地データを抽出して、旅行日程に応じた旅行パンフレットを事前に印刷するようにしても良い。
【００６６】
そして、管理サーバ１０１が、ツアーの際に添乗員や旅行者本人が撮影した電子写真データや電子ビデオデータを受信し、保存，管理する撮影データ受信処理（図２０）を行う（Ｓ４０７）。
【００６７】
ツアー終了後（Ｓ４０８）、一定期間経過後、管理サーバが保存管理しているデータをもとにムービーアルバム作成処理（図２１）を行い（Ｓ４０９）、終了する。
【００６８】
図１８は、本発明の管理サーバを適用可能な電子ムービーアルバム作成支援システムにおける第１の制御処理手順の一例を示すフローチャートであり、図１７に示したムービーアルバムテンプレート作成処理（Ｓ４０２）に対応する。なお、このフローチャートの処理は、図２に示したＣＰＵ２０１によりハードディスク２０６又はその他の記録媒体に格納されたプログラムに基づいて実行されるものとする。また、Ｓ５０１〜Ｓ５０８は各ステップを示す。
【００６９】
まず、ツアー情報ＤＢ３０３から当該ツアー情報を取得し（Ｓ５０１）、次に出発日を取得する（Ｓ５０２）。
【００７０】
そして、スケジュール情報及び出発日をもとにスケジュールディレクトリ構造ファイル（図９，図１０）の作成を行う（Ｓ５０３）。観光地説明用データディレクトリ構造ファイル（図１２）も同様に作成する（Ｓ５０４）。
【００７１】
さらに、ユーザディレクトリ構造ファイル（図７）を作成する（Ｓ５０５）。但し、この時点では、ユーザディレクトリ構造ファイル内に「グループ」に関する情報は作成しないものとする。
【００７２】
その後、当該ツアーにおいてデータ保存用のディレクトリのルートとなるディレクトリ（例えば、「Ｄｉｒ００１」）を作成する（Ｓ５０６）。
【００７３】
次に、ステップＳ５０５で作成したルートディレクトリ内に、観光地説明用データディレクトリ構造ファイル（図１２）に基づく観光地説明用データ保存用ディレクトリを作成する（Ｓ５０７）。
【００７４】
そして、ツアーＩＤ６０２，出発日６０３，ディレクトリ構造データ６０６，ルートディレクトリのディレクトリ名６０７等のデータをツアー催行ＤＢ３０６に登録し（Ｓ５０８）、処理を終了する。
【００７５】
図１８は、本発明の管理サーバを適用可能な電子ムービーアルバム作成支援システムにおける第２の制御処理手順の一例を示すフローチャートであり、図１７に示したツアー参加者募集処理（Ｓ４０４）に対応する。なお、このフローチャートの処理は、図２に示したＣＰＵ２０１によりハードディスク２０６又はその他の記録媒体に格納されたプログラムに基づいて実行されるものとする。また、Ｓ６０１〜Ｓ６１１は各ステップを示す。
【００７６】
ツアーが決定し、ムービーアルバムテンプレートの作成が終了したら、ツアー参加者の募集を開始して、応募待機状態に移行し（Ｓ６０１）、旅行参加希望（応募者）があるか否かを判断し（Ｓ６０２）、応募者がなかったと判断した場合（Ｓ６０２：ＮＯ）には、ステップＳ６１２に進む。
【００７７】
一方、応募者があったと判断した場合には（Ｓ６０２：ＹＥＳ）、その応募者の確認を行う（Ｓ６０３）。
【００７８】
そして、その応募者に旅行者登録があるか否かを判断し（Ｓ６０４）、旅行者登録がまだ済んでいないと判断した場合には（Ｓ６０４：ＮＯ）、該参加希望者の旅行者情報を作成し、旅行者ＤＢ３０４に登録し（Ｓ６０５）、ステップＳ６０６に進む。
【００７９】
一方その応募者に旅行者登録があると判断した場合には（Ｓ６０４：ＹＥＳ）、そのままステップＳ６０６に進み、当該参加希望者の旅行者情報を当該ツアーのツアー催行ＤＢ３０６に登録する。なお、参加者は、階層的にグループに分けて登録される。また、ここで登録されるグループ自体も階層構造をとることができる。例えば、学校で参加する場合等では「学校」−「クラス」−「班」、会社で参加する場合では「会社」−「部」−「課」等の階層構造が可能である。
【００８０】
そして、当該参加希望者が旅行中に撮影したデータを保存・管理しておくためのディレクトリを作成するために、まずユーザディレクトリ構造データファイル（図７）を変更（新たに応募してきたグループを追加（但し、この時点では「ｒｅｎａｍｅ」属性はここでは設定しない））し（Ｓ６０７）、該ディレクトリ構造データファイルに基づいて撮影データ保存ディレクトリの作成（追加されたグループに対応するディレクトリの作成）を行う（Ｓ６０８）。詳細には、旅行参加者（グループ）が増えるたびにその旅行者（グループ）用のディレクトリ（例えば、図８に示す「ｆｏｌｄｅｒ００３」等）を作成し、該作成したユーザディレクトリの下にスケジュールディレクトリ構造ファイル（図９，図１０）に基づくスケジュールディレクトリ（図１１）を作成する。
【００８１】
その後、ツアー催行ＤＢ３０６内の参加人数データを変更する（Ｓ６０９）。
【００８２】
そして、募集期間終了になったか否かを判断し（Ｓ６１０）、まだ募集期間終了でない間（Ｓ６１０：ＮＯ）は、ステップＳ６０１に戻り、一方、募集期間が終了したと判断した場合（Ｓ６１０：ＹＥＳ）には、ステップＳ６１１に進む。
【００８３】
ステップＳ６１１では、図５に示した使用アプリケーションのディレクトリ参照順序情報に基づいて、各ユーザディレクトリ構造ファイル中の「ｒｅｎａｍｅ」属性（図７）を設定し（Ｓ６１１）、旅行者募集処理を終了する。
【００８４】
上述したように、ディレクトリ構造データの変更（ユーザ情報を追加）時ではなく、募集終了期間終了後に「ｒｅｎａｍｅ」属性の設定を行うのは、グループによって電子ムービーアルバムの実行時にコンテンツの参照順を上位ディレクトリ→下位ディレクトリといった順番ではなく、一部または全て下位ディレクトリ→上位ディレクトリの順に参照させることを希望するかもしれないからである。そこで、電子ムービーアルバム再生に使用されるアプリケーションのディレクトリ参照順情報を基に、「ｒｅｎａｍｅ」属性を設定する。「ｒｅｎａｍｅ」属性と電子ムービーアルバム再生アプリケーションが参照するコンテンツの順番の関係については後段で詳述する。
【００８５】
該アプリケーション実行時には、「ｇｒｏｕｐ１」、「ｇｒｏｕｐ２」、「ｇｒｏｕｐ３」、「ｇｒｏｕｐ４」、「ｇｒｏｕｐ５」といった順番でそのサブディレクトリに含まれるコンテンツデータを参照しながら実行すると仮定する。その際に、図７に示す、ｕｓｅｒ００８用及びｕｓｅｒ００９、ｕｓｅｒ０１０用の電子ムービーアルバム（ＤＶＤ）は上位ディレクトリ→下位ディレクトリの順にその内部に含まれるコンテンツ参照しながら再生される。
【００８６】
ここで、ｆｏｌｄｅｒ＿ｎａｍｅ属性がｆｏｌｄｅｒ００４のディレクトリのｒｅｎａｍｅ属性を「ｇｒｏｕｐ４」、ｆｏｌｄｅｒ＿ｎａｍｅ属性が００５のディレクトリのｒｅｎａｍｅ属性を「ｇｒｏｕｐ３」、ｆｏｌｄｅｒ＿ｎａｍｅ属性が００６のディレクトリのｒｅｎａｍｅ属性を「ｇｒｏｕｐ５」とすると、ｕｓｅｒ００８の電子ムービーアルバム再生時と、ｕｓｅｒ００９及びｕｓｅｒ０１０の電子ムービーアルバム再生時とでは、ディレクトリの参照順が異なる構成になる（存在しないディレクトリは無視される）。
【００８７】
「ｒｅｎａｍｅ」属性をユーザ（参加者）の決定後に行うことで、このようにユーザごとに電子ムービーアルバム再生アプリケーションを実行する際の参照ディレクトリの順序をユーザ（参加者）グループごとに設定することが可能になる。
【００８８】
もしそのような構成を考慮しないのであれば、Ｓ６０７の段階で「ｒｅｎａｍｅ」属性を設定することも勿論可能である。この参照順の設定はツアー応募の際などにユーザに設定させても良い。
【００８９】
図２０は、本発明の管理サーバを適用可能な電子ムービーアルバム作成支援システムにおける第３の制御処理手順の一例を示すフローチャートであり、図１７に示した撮影データ受信処理（Ｓ４０７）に対応する。なお、このフローチャートの処理は、図２に示したＣＰＵ２０１によりハードディスク２０６又はその他の記録媒体に格納されたプログラムに基づいて実行されるものとする。また、Ｓ７０１〜Ｓ７１２は各ステップを示す。
【００９０】
まず、管理サーバ１０１は、ツアー催行開始から終了後一定期間旅行者からの撮影データを受信できる状態に移行し（Ｓ７０１）、旅行者からの撮影データ（ファイル）を受信したか否かを判断し、受信していないと判断した場合（Ｓ７０２：ＮＯ）には、そのままステップＳ７１２に進み、一方、旅行者からの撮影データ（ファイル）を受信したと判断した場合には（Ｓ７０２：ＹＥＳ）、ファイルの保存処理を行う。なお、旅行者から送られてくる撮影データには、ツアーＩＤ情報，旅行者ＩＤ情報が付加されているものとする。
【００９１】
管理サーバは旅行者からの撮影データ受信後、付加されたツアーＩＤ情報を確認し（Ｓ７０３）、そのツアーのディレクトリ構造データ（図８に示したユーザディレクトリ構造ファイル，図９，図１０に示したスケジュールディレクトリ構造ファイル）をツアー催行ＤＢ３０３から取得する（Ｓ７０４）。
【００９２】
そして、受信した撮影データが作成された時刻データを確認し（Ｓ７０５）、撮影データ送信者の旅行者ＩＤも合わせて確認する（Ｓ７０６）。
【００９３】
次に、ディレクトリ構造データ（図７に示したユーザディレクトリ構造ファイル，図９，図１０に示したスケジュールディレクトリ構造ファイル）を確認することによって、旅行者ＩＤと撮影時刻情報から、どのディレクトリにデータを保存すればよいかが確定する（Ｓ７０７）。
【００９４】
その後、該受信データが静止画データか動画データかを確認し（Ｓ７０８）、データが電子写真データ等の静止画データだった場合には（Ｓ７０８：静止画）、保存ディレクトリ中の静止画ディレクトリに該データを保存する（Ｓ７０９）。一方、動画データの場合には（Ｓ７０８：動画）、保存ディレクトリ中の動画ディレクトリに該データを保存する（Ｓ７１０）。また、ディレクトリ構造データにもファイルが追加された旨の修正を行う（Ｓ７１１）。
【００９５】
そして、ファイル受信待ち期間が終了になったか否かを判断し（Ｓ７１２）、まだファイル受信待ち期間が終了でない間（Ｓ７１２：ＮＯ）は、ステップＳ７０１に戻り、一方、ファイル受信待ち期間が終了したと判断した場合には（Ｓ７１２：ＹＥＳ）、受信処理を終了する。
【００９６】
なお、旅行者から送られてくる撮影データは、専用のアプリケーションにより、ツアーＩＤ情報，旅行者ＩＤ情報が付加されて管理サーバ１０１に送信されるように構成してもよいし、例えば特定のメールアドレスに対して送信する電子メールに添付することにより送信するように構成してもよい。なお、この場合、電子メールの件名（Ｓｕｂｊｅｃｔ）又は本文にツアーＩＤ情報，旅行者ＩＤを設定するように構成してもよい。
【００９７】
図２１は、本発明の管理サーバを適用可能な電子ムービーアルバム作成支援システムにおける第４の制御処理手順の一例を示すフローチャートであり、図１７に示したムービーアルバム作成処理（Ｓ４０９）に対応する。なお、このフローチャートの処理は、図２に示したＣＰＵ２０１によりハードディスク２０６又はその他の記録媒体に格納されたプログラムに基づいて実行されるものとする。また、Ｓ２００１〜Ｓ２００９は各ステップを示す。
【００９８】
まず、ＤＶＤ媒体をセットするように指示し（Ｓ２００１）、ＤＶＤ媒体をセットしたユーザから書き込み開始の指示（ＯＫ）があると（Ｓ２００２：Ｙ）、指定されるツアーのツアー情報から使用するアプリケーションデータ（図５）を取得し、該取得したアプリケーションデータ（図５）と該アプリケーションデータに記載されたアプリケーション実行ファイル（後述する図２２に示す機能を有する）をＤＶＤ媒体にコピーする（Ｓ２００３）。アプリケーションデータ中の参照ディレクトリ順情報がアプリケーション実行ファイル内に含まれる形で、該アプリケーション実行ファイルが作成されている場合は、必ずしもアプリケーションデータをＤＶＤ媒体にコピーする必要はない。
【００９９】
次に、指定されるツアーのツアー催行データからユーザＩＤを１つ取得し（Ｓ２００４）、該ツアー催行データのユーザディレクトリ構造データ（図７）から該ユーザの保存ディレクトリを確定し（Ｓ２００５）、該ユーザの保存ディレクトリ及び上位ディレクトリの「ｒｅｎａｍｅ」に設定された名称のディレクトリをＤＶＤ媒体に作成する（Ｓ２００６）。
【０１００】
次に、ユーザの保存ディレクトリ及び上位ディレクトリ内のスケジュールディレクトリ（図１１、サブディレクトリも含む）を「ｒｅｎａｍｅ」に設定された名称でＤＶＤ媒体のステップＳ２００６で作成した各ディレクトリ（ユーザの保存ディレクトリ及び上位ディレクトリに対応する各ディレクトリ）に、それぞれコピーする（Ｓ２００７）。
【０１０１】
次に、指定されるツアーのルートディレクトリ内にある観光地説明用データ保存用ディレクトリ（図１３、サブディレクトリも含む）を、ツアー催行情報の観光地説明用データ保存用ディレクトリ内の「ｒｅｎａｍｅ」に設定された名称でＤＶＤ媒体にそれぞれコピーする（Ｓ２００８）。
【０１０２】
そして、ステップＳ２００９において、次ユーザが無くなるまで（Ｓ２００９：Ｎ）、ステップＳ２００１〜Ｓ２００７の処理を繰り返し、次ユーザが無くなったと判断した場合には（Ｓ２００９：Ｙ）、処理を終了する。
【０１０３】
このような処理により、ユーザ毎の電子ムービーアルバム（ＤＶＤ）（図１５，図１６）が作成される。
【０１０４】
以上のように、静止画や動画といった違った形式のファイルが混在するムービーアルバムを容易に作成することができる。
【０１０５】
また、予め設定されたスケジュール通りに実際の旅行が進まなくても、スケジュール情報を設定変更するだけで、実際の旅行にあわせた電子ムービーアルバム（ＤＶＤ）の作成が可能である。
【０１０６】
また、電子ムービーアルバム（ＤＶＤ）を作成する際に使用した観光地説明用データ保存用ディレクトリ構造ファイルを使用すれば、旅行の紹介ビデオ等の作成も簡単に行える。
【０１０７】
図２２は、本発明の管理サーバを適用可能な電子ムービーアルバム作成支援システムにおける第５の制御処理手順の一例を示すフローチャートであり、ムービーアルバム実行処理に対応する。なお、このフローチャートの処理は、パーソナルコンピュータ等のＣＰＵによりハードディスク又はその他の記録媒体に格納されたプログラムに基づいて実行されるものとする。なお、Ｓ２１０１〜Ｓ２１０５は各ステップを示す。
【０１０８】
ＤＶＤ内のアプリケーションが実行されると、ＤＶＤ内のアプリケーションデータを読み出す（Ｓ２１０１）。
【０１０９】
該読み出したアプリケーションデータ内の参照ディレクトリをディレクトリ参照順に１つ取得し（Ｓ２１０２）、該参照ディレクトリ内の画像ファイルの表示を実行する（Ｓ２１０３）。なお、ここで静止画の場合は複数のファイルを一度に表示実行してもよく、また所定時間表示させた後に次の処理に移行する。一方、動画の場合は、再生が終了すると直ぐに次の処理に移行するようにする。
【０１１０】
そして、前記参照ディレクトリ内に画像ファイルが無くなるまで、ステップＳ２１０３の処理を実行し、前記参照ディレクトリ内に画像ファイルが無くなったと判断した場合には、次参照フォルダが無くなるまで、ステップＳ２１０２〜Ｓ２１０４の処理を繰り返し、次参照ディレクトリが無くなったと判断した場合には、処理を終了する。
【０１１１】
よって、ＤＶＤ内のファイル参照情報中に、ＤＶＤ内に存在しないディレクトリがあった場合には表示実行はスキップされる。
【０１１２】
以上の処理により、ユーザは旅行会社等から配布されたＤＶＤ内のアプリケーションを実行するだけで、電子ムービーアルバムを見ることができる。
【０１１３】
なお、本実施形態では、本発明の管理サーバを適用可能な電子ムービーアルバム作成支援システムを旅行のムービーアルバム作成に用いる場合について説明したが、旅行以外にも、冠婚葬祭等あらゆるスケジュールのあるイベントのムービーアルバム作成に適用することが可能である。
【０１１４】
また、上記本実施形態では、イベントの参加者から提供される静止画像又は動作データに基づいて電子ムービーアルバムを作成する場合について説明したが、イベントの参加者から提供されるデータは、静止画像又は動作データに限られるものではなく、音声データやその他あらゆるコンテンツを含むマルチメディアアルバムを作成するように構成してもよい。
【０１１５】
さらに、電子ムービーアルバムを記録する記録媒体は、ＤＶＤ媒体に限られるものではなく、ＣＤ媒体であっても、その他の記録媒体であってもよい。
【０１１６】
また、本発明の管理サーバを適用可能な電子ムービーアルバム作成支援システムは、旅行会社等のイベント主催者が、簡易にムービーアルバムを作成するためのサービスを提供して、イベント参加者は、イベント主催者等が管理する管理サーバに旅行中等のイベント参加中に撮影した写真やビデオデータを送信するだけで、簡単にイベントのムービーアルバムを作成できるというシステムである。
【０１１７】
さらに、アプリケーションデータに、イベントの種類に合わせた表示用のフレームを登録するとともに、該フレームをＤＶＤに格納して、表示実行時には、該フレーム上に静止画像や動画を表示することにより、イベントに合ったムービ表示を行うことができる。
【０１１８】
以上示したように、静止画や動画といった違った形式のファイルが混在するムービーアルバムを作成することが非常に容易になる。
【０１１９】
また、予め設定されたスケジュール通りに実際の旅行が進まなくても、簡単な設定変更で実際の旅行にあわせた電子ムービーアルバムの作成が可能となる。
【０１２０】
さらに、旅行の紹介ビデオ等の作成も簡単に行うことができる。
【０１２１】
以下、図２３に示すメモリマップを参照して本発明に係る情報処理装置で読み出し可能なデータ処理プログラムの構成について説明する。
【０１２２】
図２３は、本発明に係る情報処理装置で読み出し可能な各種データ処理プログラムを格納する記録媒体のメモリマップを説明する図である。
【０１２３】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１２４】
さらに、各種プログラムに従属するデータも上記ディレクトリに管理されている。また、インストールするプログラムやデータが圧縮されている場合に、解凍するプログラム等も記憶される場合もある。
【０１２５】
本実施形態における図１８，図１９，図２０，図２１，図２２に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【０１２６】
以上のように、前述した実施形態の機能を実現するソフトウエアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【０１２７】
この場合、記録媒体から読み出されたプログラムコード自体が本発明の新規な機能を実現することになり、そのプログラムコードを記憶した記録媒体は本発明を構成することになる。
【０１２８】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１２９】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１３０】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１３１】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記録媒体を該システムあるいは装置に読み出すことによって、そのシステムあるいは装置が、本発明の効果を享受することが可能となる。
【０１３２】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０１３３】
【発明の効果】
以上説明したように、本発明によれば、スケジュールに応じて進行されるイベントの参加者毎に、前記スケジュールに対応して該参加者から提供されるコンテンツ（イベント中に前記参加者が撮影又は録音した写真・ビデオ等）を記憶可能な構造を有する記憶領域を割り当て、前記各参加者より旅行後に提供されるコンテンツを各参加者に応じた記憶領域内に前記コンテンツの作成日時に応じて格納させ、参加者毎に用意される着脱可能な記録媒体に対して、それぞれ該記録媒体内のコンテンツを再生処理可能なアプリケーションプログラムと、該参加者に割り当てられた記憶領域内に格納されているコンテンツを、予め設定された前記アプリケーションプログラムが参照する記憶領域での名称に変更して記憶させることにより、簡易で使いやすく、例えば旅行の場合であれば、旅行者の目的地や日程といった予め設定されたスケジュールに沿った電子ムービーアルバムを容易に作成することができ、旅行の興趣を増したり、あるいは平易な方法で、旅行や冠婚葬祭等のイベントの電子ムービーアルバムを作成を行うことができる等の効果を奏する。
【図面の簡単な説明】
【図１】本発明のデータ処理装置を適用可能な電子ムービーアルバム作成支援システムの一例を示すシステム構成図である。
【図２】図１に示した管理サーバのハードウェア構成を示すブロック図である。
【図３】図１に示した管理サーバのハードディスクに記憶される記憶情報を示す図である。
【図４】図３に示したツアー情報ＤＢのデータ構成を示す図である。
【図５】図３に示したアプリケーションＤＢのデータ構成を示す図である。
【図６】図３に示したツアー催行ＤＢのデータ構成を示す図である。
【図７】図６に示したツアー催行ＤＢのディレクトリ構造データに登録されるユーザディレクトリ構造ファイルの一例を示すデータ構造図である。
【図８】図７に示したユーザディレクトリ構造ファイルより生成されるユーザディレクトリ構造を示すディレクトリ構造図である。
【図９】図６に示したツアー催行ＤＢのディレクトリ構造データに登録されるスケジュールディレクトリ構造ファイルの一例を示すデータ構造図である。
【図１０】図６に示したツアー催行ＤＢのディレクトリ構造データに登録されるスケジュールディレクトリ構造ファイルの一例を示すデータ構造図である。
【図１１】図９，図１０に示したスケジュールディレクトリ構造ファイルより生成されるスケジュールディレクトリ構造を示すディレクトリ構造図である。
【図１２】図６に示したツアー催行ＤＢのディレクトリ構造データに登録される観光地説明用データ保存用ディレクトリ構造ファイルの一例を示すデータ構造図である。
【図１３】図１２に示した観光地説明用データ保存用ディレクトリ構造ファイルより生成される観光地説明用データ保存用ディレクトリ構造を示すディレクトリ構造図である。
【図１４】図８に示したユーザディレクトリにおいて電子ムービーアルバム（ＤＶＤ）を作成する際に使用されるディレクトリの一例を示す図である。
【図１５】作成された電子ムービーアルバム（ＤＶＤ）のディレクトリ構成の一例を示す図である。
【図１６】作成された電子ムービーアルバム（ＤＶＤ）のディレクトリ構成の一例を示す図である。
【図１７】本発明のデータ処理装置を適用可能な電子ムービーアルバム作成支援システムにおいて、ツアー日程の決定から電子ムービーアルバム作成までの一連の流れを示すフローチャートである。
【図１８】本発明のデータ処理装置を適用可能な電子ムービーアルバム作成支援システムにおける第１の制御処理手順の一例を示すフローチャートである。
【図１９】本発明のデータ処理装置を適用可能な電子ムービーアルバム作成支援システムにおける第２の制御処理手順の一例を示すフローチャートである。
【図２０】本発明のデータ処理装置を適用可能な電子ムービーアルバム作成支援システムにおける第３の制御処理手順の一例を示すフローチャートである。
【図２１】本発明のデータ処理装置を適用可能な電子ムービーアルバム作成支援システムにおける第４の制御処理手順の一例を示すフローチャートである。
【図２２】本発明のデータ処理装置を適用可能な電子ムービーアルバム作成支援システムにおける第５の制御処理手順の一例を示すフローチャートである。
【図２３】本発明に係る本発明のデータ処理装置を適用可能な電子ムービーアルバム作成支援システムで読み出し可能な各種データ処理プログラムを格納する記録媒体のメモリマップを説明する図である。
【符号の説明】
１０１  管理サーバ
１０２  コンテンツファイル転送端末
１０３  デジタルカメラ
１０４  デジタルビデオカメラ
１０５  携帯電話
１０６  通信回線
【図１】
2004213303.tif 000003
【図２】
2004213303.tif 000004
【図３】
2004213303.tif 000005
【図４】
2004213303.tif 000006
【図５】
2004213303.tif 000007
【図６】
2004213303.tif 000008
【図７】
2004213303.tif 000009
【図８】
2004213303.tif 000010
【図９】
2004213303.tif 000011
【図１０】
2004213303.tif 000012
【図１１】
2004213303.tif 000013
【図１２】
2004213303.tif 000014
【図１３】
2004213303.tif 000015
【図１４】
2004213303.tif 000016
【図１５】
2004213303.tif 000017
【図１６】
2004213303.tif 000018
【図１７】
2004213303.tif 000019
【図１８】
2004213303.tif 000020
【図１９】
2004213303.tif 000021
【図２０】
2004213303.tif 000022
【図２１】
2004213303.tif 000023
【図２２】
2004213303.tif 000024
【図２３】
2004213303.tif 000025